(57)【要約】【課題】引き戸と開き戸の両方で使用可能であり、設置する際の設計が容易である鎌錠を提供することである。【解決手段】  鎌錠１の構成部品は、ケース２、鎌片３、トリガー７、トリガー補助部材８、バネ９、リンク部材１０、てこ部材１１、姿勢補助部材１２、スライダー１３、ロック部５３である。鎌錠１は、トリガー７がケース２に退入すると鎌片３がケース２から突出するように各部材をリンクさせ、トリガー７が単独で退入、突出可能である範囲を設け、トリガー７の動きと鎌片３動きが連動するまでに時間差を設ける。そのことにより、鎌片３の突出に猶予を持たせることにより、開き戸（ウィング戸）に用いたときの周辺部材の設計を容易にし、開き戸に用いる。【選択図】図１
2010248750.tif 000002
【特許請求の範囲】
【請求項１】
戸や錠本体に出退可能な鎌片とトリガーを有し、トリガーの退入に連動して前記鎌片の鎌先が別途設けられた受け穴の奥に移動して施錠する鎌錠において、前記トリガーが単独で出退可能であることを特徴とする鎌錠。
【請求項２】
前記トリガーを戸や錠本体から突出する方向に付勢する付勢部材を設けたことを特徴とする請求項１に記載の鎌錠。
【請求項３】
前記トリガーに衝撃吸収部材を設けたことを特徴とする請求項１又は２に記載の鎌錠。
【請求項４】
前記衝撃吸収部材にバネを用いたことを特徴とする請求項３に記載の鎌錠。
【請求項５】
前記トリガーの突出方向の先端部分に回転部材を設けたことを特徴とする請求項１乃至４のいずれかに記載の鎌錠。
【請求項６】
前記トリガーと前記鎌片を連動させる機構が、連続する部材間で動力を伝達する機構を備え、連続する部材の内少なくとも一組の部材間で一方の部材の動作に遅れて他方の部材が動作するように一方の部材と他方の部材が配置されていることを特徴とする請求項１乃至５のいずれかに記載の鎌錠。
【請求項７】
施錠時において、前記トリガーの動作に遅れて鎌片が連動することを特徴とする請求項１乃至６のいずれかに記載の鎌錠。
【発明の詳細な説明】
【技術分野】
【０００１】
本発明は、鎌錠に関するものである。より詳細には、鎌状の部材が突出することによって、戸枠等に設けられたストライクと係合して施錠状態にする錠であって、引き戸と開き戸（ウイング戸）双方に使用可能である錠に関するものである。
【背景技術】
【０００２】
従来、引き戸用の錠前の一つとして、戸先鎌錠と称される錠が知られている。この形式の錠は、引き戸の端面から鎌状の閉止用係合部材（以下鎌片）が出入りする。そして、当該鎌片が戸枠に設けられたストライクと係合し、引き戸を施錠する。
【０００３】
以下、この種の戸先鎌錠の機能を簡単に説明する。図１６は、従来技術の引き戸錠の機能を説明する説明図である。
この種の引き戸錠１００は、鎌片１０１の他にトリガー１０２を持つ。そして常時において鎌片１０１は錠ケース１０３の中にあり、トリガー１０２が錠ケースから突出している。また鎌片１０１とトリガー１０２とは錠ケース１０３の内部でリンクしており、トリガー１０２が錠ケース１０３内に没入すると鎌片１０１が突出し、トリガー１０２が突出すると鎌片１０１が錠ケース１０３内に没入する関係にある。
【０００４】
そして、上記の機能に加え、係止機構と解除機構を備えることで、跳ね返りに対応した鎌錠（引き戸錠）が特許文献１に開示されている。
【先行技術文献】
【特許文献】
【０００５】
【特許文献１】特開２００１−１２１２６号公報
【０００６】
このような鎌錠は防犯上優れた効果があるので引き戸のみならず開き戸にも使用したいという要求がある。
しかしながら、上記した従来技術の鎌錠はトリガーと鎌片が連動しているため、鎌片が退入すると同時に必ずトリガーが突出する。言い換えると、鎌片の動きとトリガーの動きが一対になっており、完全に連動している。そのため、鎌片が退入すると同時にトリガーが突出するので、鎌片の退入途中にトリガーの一部分が突出する。
このことにより、この従来技術の鎌錠を開き戸に使用すると、鎌片の退入に伴って突出したトリガーが戸の回動を阻害したり、周辺部材がトリガーの突出を妨げることで鎌片が退入せず、戸が開かないといった問題が発生する。
上記の問題を回避して、従来技術の鎌錠を開き戸に用いるには、戸枠やストライクの設計に極めて精緻な計算が必要である。また、精緻な計算により戸枠やストライクを設計しても、施工時に誤差が発生したり、使用することによる微量な摩耗等が生じたりするので現実的ではない。そのため、従来技術の鎌錠を開き戸に用いることは困難である。
【発明の概要】
【発明が解決しようとする課題】
【０００７】
そこで本発明は、開き戸と引き戸の両方で容易に使用可能であり、スムーズに戸の開閉と施錠や開錠を行うことができる鎌錠を提供するものである。
【課題を解決するための手段】
【０００８】
上記課題を解決するための請求項１の発明は、戸や錠本体に出退可能な鎌片とトリガーを有し、トリガーの退入に連動して前記鎌片の鎌先が別途設けられた受け穴の奥に移動して施錠する鎌錠において、前記トリガーが単独で出退可能であることを特徴とする鎌錠である。
【０００９】
請求項１の発明では、鎌片と連動するトリガーがトリガーのみで錠本体等に突出・退入可能である。そのため、本発明を用いた開き戸を開く時に、鎌片の退入に伴って突出したトリガーが何らかの部材に衝突しても、トリガーが鎌片の動きとは別に単独で錠本体等に退入する。そのため、鎌片は規定通りに錠本体等に退入し、トリガーは周辺部材に引っ掛かることがないため、開き戸の回動を阻害しない。
したがって、本発明の鎌錠は鎌錠と周辺部材間の距離を設計する際に幅を持たせることができるので、開き戸に用いることが容易である。
【００１０】
請求項２の発明は、前記トリガーを戸や錠本体から突出する方向に付勢する付勢部材を設けたことを特徴とする請求項１に記載の鎌錠である。
【００１１】
請求項２の発明では、トリガーを戸や錠本体から突出する方向に付勢する付勢部材を設けているので、トリガーが鎌片と連動せずに独立して退入すると、退入前の位置に戻そうとする力がトリガーに加わる。それにより、トリガーが鎌片から独立して移動可能な範囲内で、最も突出方向側の位置に移動する。したがって、常時トリガーが独立して退入できる距離を最大限に保つことができる。
【００１２】
請求項３の発明は、前記トリガーに衝撃吸収部材を設けたことを特徴とする請求項１又は２に記載の鎌錠である。
【００１３】
請求項３の発明では、トリガーに衝撃吸収部材を設けているので、本発明を引き戸に用いた際に、引き戸が勢いよく閉められても、トリガーが戸枠やストライク等に衝突したときに受ける衝撃を軽減する。そのためトリガーやトリガーに連結している部材が壊れにくいという効果がある。
【００１４】
請求項４の発明は、前記衝撃吸収部材にバネを用いたことを特徴とする請求項３に記載の鎌錠である。
【００１５】
請求項４の発明では、前記した衝撃吸収部材にバネを用いることで、衝撃吸収部材が請求項２に記載している付勢部材の機能を兼ねることができる。そのため、衝撃吸収部材と付勢部材を別途の部材で配置する場合と比べて、部品点数が少なくてよいという利点がある。
【００１６】
請求項５の発明は、前記トリガーの突出方向の先端部分に回転部材を設けたことを特徴とする請求項１乃至４に記載の鎌錠である。
【００１７】
請求項５の発明では、トリガーの突出方向の先端部分に回転部材を設けているので、本発明を開き戸に用いて戸を開閉する際に、トリガーがストライクと円滑に摺動する。
詳しく説明すると、扉を閉じる方向に回動させるとき、扉がストライクと接近すると、扉から突出したトリガーが戸枠やストライクと当接する。このとき、トリガーが扉の回動の進行方向に進むことで、ストライクからトリガーに摩擦力による抵抗がかかる。しかし、トリガーの先端が回転することで、トリガーにかかる抵抗を低減する。そのことにより、トリガーがストライクと接触した状態においてもドアは円滑に回動する。
また、扉を開く時も同様に、ストライクからトリガーにかかる抵抗を低減することにより、扉が円滑に回動する。
【００１８】
請求項６の発明は、前記トリガーと前記鎌片を連動させる機構が、連続する部材間で動力を伝達する機構を備え、連続する部材の内少なくとも一組の部材間で一方の部材の動作に遅れて他方の部材が動作する様に一方の部材と他方の部材が配置されていることを特徴とする請求項１乃至５のいずれかに記載の鎌錠である。
【００１９】
請求項６の発明では、前記トリガーと前記鎌片を連動させる機構が、連続する部材間で動力を伝達する機構を備え、連続する部材の内少なくとも一組の部材間で一方の部材の動作に遅れて他方の部材が動作する。したがって、トリガーの退入開始から鎌片の突出開始までの間と、鎌片の退入開始からトリガーの突出開始までの間に時間差を設けることができる。
この時間差を調整することで、戸枠やストライクの形状に合わせて、扉の回動を阻害しないタイミングで鎌片の突出やトリガーの突出を行うことができる。そのため戸枠やストライクの形状の選択肢が広がる。
【００２０】
請求項７の発明は、施錠時において、前記トリガーの動作に遅れて鎌片が連動することを特徴とする請求項１乃至６のいずれかに記載の鎌錠である。
【００２１】
請求項７の発明では、施錠時にトリガーの動作に遅れて鎌片が連動するため、本発明を開き戸に用いる際に、鎌片の突出位置が調整できるので、戸枠などに設けるストライクの設計が容易になる。
具体的に説明すると、本発明を用いた開き戸を閉じる際、トリガーがストライクに接触して、トリガーが戸や錠本体に退入を始める。しかし、その時すぐに鎌片は突出せず、開き戸が戸の閉じ方向に移動してから鎌片を突出する。つまり、鎌片とストライクが係合可能である位置まで開き戸が移動するまで鎌片の突出を止めておくことができる。
したがって、ストライクを設計する際に、トリガーが接触する部位と鎌片が係合する部位の相対的な位置の設定に幅を持たせることができるので、ストライクを容易に作成することができる。
【発明の効果】
【００２２】
本発明の鎌錠は、上記のように、トリガーが鎌片から独立して錠本体や戸に退入することにより、トリガーが何らかの部材に衝突しても鎌片の動きを妨げない。そのことにより、周辺部材の位置や部材間の距離を設計するときに、距離や位置に幅を持たせることができるので、引き戸に加え、開き戸でも容易に使用できるという優れた効果がある。
【図面の簡単な説明】
【００２３】
【図１】本発明を実施した鎌錠の蓋を開けた状態を示す正面図であり、動作の第一段階を示すものである。
【図２】本発明を実施した鎌錠の正面図であり、動作の第二段階を示すものである。
【図３】本発明を実施した鎌錠の正面図であり、動作の第三段階を示すものである。
【図４】図１の鎌錠の左側面図である。
【図５】図１の鎌錠の背面図である。
【図６】本発明を実施した鎌錠の正面図であり、本施錠状態を示すものである。
【図７】図１の鎌錠の分解斜視図である。
【図８】図１の鎌錠のトリガー補助部材の斜視図である。
【図９】図１の鎌錠のリンク部材の斜視図である。
【図１０】本発明を開き戸に用いた際に使用するストライクの正面図である。
【図１１】図１０のストライクの右側面図である。
【図１２】図１０のストライクの斜視図である。
【図１３】本発明を実施した鎌錠と図１０のストライクを開き戸に設置した状態を示す斜視図である。
【図１４】図１３のＡ−Ａ断面図である。
【図１５】本発明の鎌錠の蓋を閉じた状態を示す正面図である。
【図１６】従来技術の引き戸錠の機能を説明する説明図である。
【発明を実施するための形態】
【００２４】
各図において、１は、本発明の実施形態の鎌錠を示す。本実施形態の鎌錠１は、戸先鎌錠と称される錠であり、ケース２内から鎌片３とトリガー７が出入りするものであり、ケース２内には鎌片３とトリガー７をリンクする機構部品が内蔵されている。以下詳細に説明する。
【００２５】
鎌錠１の構成部品は、前記したケース２、鎌片３とトリガー７の他、バネ９（衝撃吸収部材兼付勢部材）、リンク部材１０、てこ部材１１、姿勢補助部材１２、スライダー１３、蓋３４、ロック部５３である。また、各部材の姿勢を保持するためのピン１７〜２６を有している。
【００２６】
ケース２は、公知の錠ケースと同様に鋼板をプレスした後、曲げ加工し、必要に応じて溶接する等により作られたものであり、図１で示されるように正面板５１とケース本体５２によって構成されている。
ケース２の正面板５１は戸先端面に固定されるものであり、ケース本体５２の端面よりも大きい。また、図４に示されるように、正面板５１には鎌片３が出入りする開口５０と、トリガー７の先端部分が出入りする開口４９が設けられている。
ケース本体５２には、図１、図５に示すようにネジ２９〜３３を配置するためのネジ穴５９〜６３と、長孔４０〜４８が設けられている。ネジ穴はケース本体５２の底面から突出状に設けられた、円柱状の部材の端面に設けており、ネジ２９〜３３で蓋３４を固定することができる。
【００２７】
ケース本体５２の底面に設けられている長孔４０〜４８の形状について説明する。
長孔４０、４３、４４、４６、４７は正面板５１に垂直な方向に伸びるように形成されている孔であり、長孔４１は背面の正面板５１と垂直な方向から見たときに緩やかな逆「Ｓ」字を描くように伸びている孔であり、長孔４２は円弧状に伸びている孔である。そして、これらの長孔は両端が約１８０度にわたる円弧状の長孔となっている。
【００２８】
そして、長孔４８は略長方形状であり、正面板５１と垂直方向に伸びている孔である。
さらに長孔４５は、正面板５１と垂直方向に伸びている孔である。さらに、長孔４５は正面板５１と平行方向の長さが異なる２つの部分があり、正面板５１側の長さが他方に比べて長く、２つの部分は段差になって繋がっている。
【００２９】
本発明の鎌錠１は、図１５で示されるように、ケース２に蓋３４を装着した状態で使用する。この蓋３４には、前述したケース本体５２の底面に設けられている長孔４０〜４８と同じ形状の長孔と、ネジを挿通するための孔が設けられている。そして、この蓋３４をケース本体５２に装着すると、鎌錠１はそれぞれの同形の長孔が対向するように位置し、ネジを挿通するための孔がネジ穴の位置に重なるように配置される。
【００３０】
鎌片３は、図１で示されるように、概ね逆「Ｌ」字状であり、本体部分３ａと係止部分３ｂがある。本体部分３ａの長手方向の一端から係止部分３ｂが突出状に設けられている。
また、本体部分３ａの中央部分から、係止部分３ｂが無い方の端部よりの位置に、貫通孔３ｃと貫通孔３ｄの２つの貫通孔が設けられている。貫通孔３ｃは開口が円形であり、開口の外径はピン２４の断面の外径と略同等である。貫通孔３ｄは開口がやや逆「く」の字状に伸びており、ピン２３を挿通後に摺動可能な幅を持つ。そして、それぞれの貫通孔の中心線は本体部分３ａの長手方向に対して垂直である。
さらに、図７に示されるように、この鎌片３は薄い板状の部材を２枚重ね合わせた様な形状である。具体的に説明すると、係止部分３ｂは２枚が密着しており、本体部分３ａは２枚が離れている様な形状をしている。つまり、鎌片３を構成する２つの板状の部材には係止部分３ｂと本体部分３ａの間に傾斜があり、設置したとき蓋側（図１の手前側）に配置されている板状の部材は蓋側から底辺側（図１の奥側）に傾斜しており、底辺側に配置されている板状の部材は底辺側から蓋側に傾斜している。
さらに、２枚の板状の部材と垂直に接触する板状の部材が２つの本体部分３ａを繋ぐように配置されている。
【００３１】
トリガー７は、図１、図７で示されるように、ローラー受け４、ローラー５、トリガー軸６、トリガー補助部材８から構成されている。
ローラー受け４は、板状の部材を「コ」の字状に折り曲げた様な形状である。言い換えると、３つの板状の部材を組み合わせた様な形状であり、トリガー７の突出方向と垂直に設けられた縦板部分４ｃと、縦板部分４ｃからトリガー７の突出方向に突出している上板部分４ａと下板部分４ｂがあり、上板部分４ａと下板部分４ｂは互いに平行となるように縦板部分４ｃの端部に配置されている。
ここで、上板部分４ａには貫通孔４ｄが、下板部分４ｂには貫通孔４ｅがそれぞれ設けられている。これらの貫通孔は、トリガー７の突出方向に対して垂直に伸びる孔であり、外径が等しい。そして、これらの貫通孔は図１における上方向から見て重なる様に配置されている。したがって、ローラー５を上板部分４ａと下板部分４ｂの間に挟むようにして配置したときに、軸部材を連通して、ローラー５を回転可能な状態で配置することができる。さらに、縦板部分４ｃには貫通孔４ｆが設けられており、貫通孔４ｆはトリガー軸６にローラー受け４を接合する際にトリガー軸６の突出部６ａを挿通することができるものである。
【００３２】
ローラー５は、円柱状の部材に中空孔が設けられた形状であり、中空孔は円柱の軸方向に底面と上面の中心部分を貫通する孔である。
【００３３】
トリガー軸６は断面が円形の棒状の部材であり、一端部にローラー受け４と接合するための平面を持ち、該平面が無い方の端部は他端に比べて細くなっている。詳細に説明すると、トリガー軸６は断面の外径が異なる２つの棒を組み合わせた様な形状であり、２つの棒が連結している部分は段差になっている。また、ローラー受け４と接合するための平面には、軸方向に突出している突出部６ａが設けられており、前述したように突出部６ａはローラー受け４の孔に挿通可能である。
【００３４】
トリガー補助部材８は、図１や図７、図８で示すように、中空孔や切り欠きを有する柱状の部材である。詳しく説明すると、この部材は図１における左方上側に切り欠き８ａを備えている。切り欠き８ａは正面から見て半小判状であり正面から背面に伸びるように設けられている。そして、切り欠き部分の正面と背面を繋ぐ面は円弧状に窪んでいる。
さらに、トリガー補助部材８は図１、図８における左方下側に直方体状の突起８ｃを有しており、この突起８ｃは正面と背面にそれぞれ対向するように設けられている。ここで突起８ｃの図１、図８における上下方向の長さは、長孔４８の図５における上下方向の長さと略同じである。そのため、背面に設けた突起８ｃは長孔４８に嵌入できる。また、正面に設けた突起８ｃも同様に、前述の蓋３４の長孔４８と同形状の長孔に嵌入可能である。
また、トリガー補助部材８の図１、図８における右方上方には貫通孔８ｂが設けられている。この貫通孔８ｂの中心線はトリガー補助部材８の正面の長手方向に対して垂直であり、貫通孔８ｂは正面から背面を貫通する孔である。また、貫通孔８ｂは開口部分の形状が円形であり、開口部分の外径はピン１７の断面の外径に等しい。
【００３５】
そして、トリガー補助部材８には長手方向両端の対向する面を貫通するように孔や溝が設けられており、トリガー軸６を挿通することができる。
詳しく説明すると、正面板５１と平行な面の中で最も正面板５１よりの面に孔８ｄが設けられており、最も正面板５１から離れた面に孔８ｇが設けられている。さらに、切り欠き８ａの貫通孔８ｂよりの端部にある壁８ｈに溝８ｅが設けられており、貫通孔８ｂ近傍にある壁８ｉに溝８ｆが設けられている。ここで、孔８ｄの開口はトリガー軸６の太い方の外径と略等しく、孔８ｇの開口はトリガー６の細い方の外径と略等しい。また、溝８ｅと溝８ｆは上面から下面に向かって「Ｕ」字状に削られた形状であり、溝８ｅの下側の円弧状の部分は、径がトリガー軸６の太い方の外径と等しく、溝８ｆの下側の円弧状の部分は、径がトリガー軸６の細い方の外径と等しい。加えて、溝８ｅと溝８ｆの幅はそれぞれの円弧状の部分の直径に等しい。即ち、孔８ｄと溝８ｅはトリガー軸６のいずれの部分でも挿通可能であるが、孔８ｇと溝８ｆはトリガー軸６の断面の外径が細い部分のみ挿通可能である。
【００３６】
バネ９は、つる巻きバネであり、巻径はトリガー軸６の太い部分の断面の外径に等しい。即ち、バネ９はトリガー軸６に巻きつけるように配置することができる。
【００３７】
リンク部材１０は、図１や図７、図９で示すように、略直方体状の本体部分と、本体部分の図１における左方上側、右方上側、右方下側にそれぞれ突出した部分を有する部材である。さらに、本体部分の中心近傍には正面と背面を貫通する貫通孔１０ｂが設けられており、この貫通孔１０ｂの中心線はトリガー７の突出方向と垂直である。
【００３８】
詳しく説明すると、左方上側の突出部分は、本体部分からトリガー７の突出方向に突出しており、ネジ２９近傍に設けられ、突出方向と垂直に伸びる円柱の様な形状であり、突出部分は本体部分に接触する部分が平面状である。つまり、この突出部分は円柱の側面を一部切り取った様な形状をしている。さらに、この突出部分には、円柱の中心部分をくり抜くように貫通孔１０ａが設けられている。貫通孔１０ａの中心線は貫通孔１０ｂの中心線と平行方向であり、貫通孔１０ａは正面と背面を貫通する。
さらに、本体部分の貫通孔１０ａが無い方の端部側の短手方向両端には、貫通孔１０ａの中心線と平行方向に伸びる板状の突起１０ｃがそれぞれ設けられている。突起１０ｃの中心部分の一部は本体部分と一体化しており、また突起１０ｃは長手方向の両端部が本体部分の正面と背面から突出している。
【００３９】
本体部分の貫通孔１０ａの対角位置に係合部１０ｄが設けられている。係合部１０ｄは本体部分から突起１０ｃと垂直に突出している板状の部材であり、板の長手方向両端は丸みを帯びている。また、この係合部１０ｄは本体部分の正面側と背面側にそれぞれ一つずつ設けられており、この２つの係合部１０ｄの間は円弧状の面で繋がっている。ここで、この係合部１０ｄはトリガー補助部材８の切り欠き８ａに収まる大きさであり、リンク部材１０とトリガー補助部材８の厚さ（図１の手前側から奥側方向の長さ）は略同じである。つまり、切り欠き８ａに嵌め込んでトリガー補助部材８の長手方向に摺動可能である。
そしてまた、図９で示されるように、係合部１０ｄの一端には、壁１０ｆが設けられている。壁１０ｆは、本体部分から「Ｕ」字形に突出しており、係合部１０ｄに挟まれるように配置されている。この壁１０ｆの中心部分のやや突出方向側に貫通孔１０ｅが設けられている。この貫通孔１０ｅの中心線は貫通孔１０ｂの中心線と垂直方向である。
【００４０】
てこ部材１１は、図１、図７に示されるように、外形が略同一である２つの板状部材を、間隔を空けて重ねるように配置して、別途の板状部材を２つの板状部材の間を繋ぐように設けている。そして、この別途の板状部材は２つの板状部材とそれぞれ垂直に接触している。
重ねるように配置された２つの板状の部材は、それぞれの両端部が円弧状であり、両端部にそれぞれ連通孔１１ａ、連通孔１１ｃを備えている。これらの連通孔は、一つの連通孔が２つの貫通孔から構成され、貫通孔は２つの板状部材に一つずつ設けられており、それぞれ中心線がトリガー７の突出方向と垂直である。そして、連通孔を構成する２つの貫通孔はそれぞれ対向するように位置しており、図１の正面から見て重なっている。
さらに、てこ部材１１は中央部からやや一方の端部より位置に連通孔１１ｂを備えている。この連通孔１１ｂもまた、上記の連通孔と同様に２つの貫通孔により構成されている。２つの貫通孔の位置関係は連通孔１１ａ、連通孔１１ｃと同様である。
２つの板状部材の内の一つは、板状部材の長手方向に垂直に突出した板状の突出部分を有しており、突出部分にはピン２２を挿通可能な貫通孔１１ｄが設けられている。
【００４１】
姿勢補助部材１２は、図１に示される様に両端部が円弧状である板状の部材である。また、両端部には板を正面から背面へ貫通する孔が設けられている。
【００４２】
スライダー１３は、図１、図７で示されるように「Ｔ」字状の部材であって、横棒部分１３ａと縦棒部分１３ｂがあり、横棒部分１３ａから縦棒部分１３ｂが突出している。横棒部分１３ａの正面板５１に近い端部には貫通孔１３ｄが設けられており、他端には１３ｅが設けられている。これらの貫通孔は正面と背面を貫通する孔であり、両孔の中心線は図１におけるトリガー７の突出方向と垂直である。また、これらの孔は開口が円形である。そして、貫通孔１３ｄの開口の外径はピン２１の外径に等しく、貫通孔１３ｅの開口の外径はピン２０の外径に等しい。
さらに、横棒部分１３ａの図７における上側の位置にある上面１３ｆには、溝１３ｇが設けられている。この溝１３ｇは貫通孔１３ｅ側の端部から横棒部分１３ａの長手方向と平行に伸びており、溝１３ｇを設けている面の中央部分からやや貫通孔１３ｄ側の端部に近い位置まで達している。さらに、この溝１３ｇは延びるにつれて深さ寸法（縦棒部分１３ｂの長手方向の長さ）が短くなる。つまり、この溝１３ｇは延びる方向と平行な面で切った断面が略直角三角形の形状をしている。
そして、この溝１３ｇの幅寸法（貫通孔１３ｄ、１３ｅの中心線と平行方向の長さ）は姿勢補助部材１２の厚さ（正面から背面までの長さ）と略同等であり、溝１３ｇに姿勢補助部材１２を挟むように配置することができる。
また、縦棒部分１３ｂの横棒部分１３ａが無い方の端部近傍に直方体状の突起１３ｃが設けられている。この突起１３ｃは、正面と背面にそれぞれ一つずつ設けられており、縦棒部分１３ｂの長手方向に伸びている。
【００４３】
ロック部５３は、図１、図７に示されるようにロックカム１４、ロック用連動部材１５、ロック用係止部材１６から構成されている。
ロックカム１４は、正面視が略楕円状の部材であり、中央部分に周知のシリンダー（図示せず）の係合部が係合する溝がある。また、一端に節度部材１４ｂが設けられており、他端に正面と背面を貫通する貫通孔１４ａがある。図１に示すように、貫通孔１４ａの中心線はロックカム１４の長手方向と垂直であり、開口は円形である
【００４４】
ロック用連動部材１５は、略柱状の本体部材と、本体部材の両端から突出した厚い板状の部材と、それぞれの板状部材に設けられている突出部から構成される。
詳細に説明すると、本体部材の正面板５１に近い端部には、本体部材の長手方向と平行に突出した板状部材があり、板状部材には突出部１５ａが設けられている。突出部１５ａは本体部材の背面から正面に向かう方向に突出しており、外形は円柱状である。この突出部の断面の外径はロックカム１４の貫通孔１４ａの開口の外径と略同一である。
また他端には、正面と背面を貫通する貫通孔１５ｂがある。貫通孔１５ｂは開口が円形であり、開口の外径はピン２６の外径と略同じである。さらに、貫通孔１５ｂがある側の本体部材の端部には、図１における下側に突出した板状部材があり、この板状部材には突出部１５ｃが設けられている。
突出部１５ｃも突出部１５ａと同じ方向に突出しており、外形が円柱状である。そして、この突出部の断面の外径はロック用係止部材１６の端部に設けられた貫通孔１６ｂの開口の外径と略同一である。
【００４５】
ロック用係止部材１６は、正面視が柱状であり長手方向の両端が円弧状になっている部材である。ロック用係止部材１６の長手方向の鎌片３に近い位置の端部には貫通孔１６ａが設けられており、他端部には貫通孔１６ｂが設けられている。これらの貫通孔はいずれも正面と背面を貫通する孔であり、中心線が図１におけるトリガー７の突出方向と垂直であり、開口が円形である。そして、貫通孔１６ａの開口の外径はピン２５と略同一であり、貫通孔１６ｂの開口の外径は、前述した突出部１５ｃの断面の外径と略同一である。
【００４６】
ピン１７〜２６は、各部材の姿勢保持や、動作の制御に使用される部材であり、それぞれ形状が異なっている。
ピン１７は、円柱状の本体部分と突出部から構成されている。本体部分の側面には長手方向における中心部分に、対向する側面を貫通する孔が設けられており、この孔の外径は前述のトリガー軸６の細い部分の断面の外径と略同等である。突出部は円柱状であり、本体部分の上面と底面の中心部分に設けられている。突出部の断面の外径は、本体部分の断面の外径より小さい。
ピン２２は、３つの円柱状の部材を、軸を揃えて重ね合わせた形状をしており、３つの部材はそれぞれ断面の外径と側面の長手方向の長さが異なっている。
ピン１８とピン２３は円柱状の部材である。
ピン１９〜２１とピン２４〜２６には、円柱状の本体部分と突出部があり、突出部は本体部分の上面と底面の中心部分に設けられている。そして、突出部の断面の外径は本体部分の断面の外径より小さい。
【００４７】
さらに、ここで本発明の鎌錠１を開き戸に使用した時に用いる、ストライクの一例について説明する。図１０乃至図１２に示しているように、開き戸に使用するストライク５４は、柱状の部材に開口５４ａと２つの斜面５４ｂを設けた形状をしている。
開口５４ａは正面から見ると長方形状であり、側面から見ると図１１における右端部分の上下に略台形状に突出した部分を持つ長方形状である。そして、開口５４ａの奥の部分、即ちストライク５４の内部側の部分には、開口５４ａ近傍からストライク５４の両側の長手方向に伸びる中空孔５４ｃを有している。
斜面５４ｂは正面から露出している側面へ向かって傾いている面であり、ストライク５４の端部の一部を直角三角形状に切り欠くようにして設けられている。この斜面５４ｂはストライク５４の図１０における上下に一つずつ設けられている。
【００４８】
次に本発明の鎌錠１の組み立て構成について説明する。前記した各部材は、いずれもケース２をベースとし、ケース本体５２に内蔵されている。すなわち鎌片３は、ケース本体５２の内部であって、正面板５１の開口５０近傍にあり、貫通孔に挿通したピン２４によって揺動自在に取り付けられている。
【００４９】
トリガー７は、正面板５１の開口４９から、ローラー５を設けている側の端部が突出するように配置されている。また、トリガー７はトリガー軸６がトリガー補助部材８の側面を正面板５１の垂直方向に貫通するように配置されており、バネ９、リンク部材１０と摺接しており、ピン１７と係合している。
【００５０】
詳細に説明すると、トリガー補助部材８の貫通孔８ｂにはピン１７が挿通されており、トリガー補助部材８の孔８ｄの中心線、バネ９の巻径の中心線、リンク部材１０の貫通孔１０ｅの中心線、ピン１７の側面に設けた孔の中心線がすべて正面板５１と垂直となるように配置されている。
そして、トリガー軸６はトリガー補助部材８の孔８ｄ、バネ９、リンク部材１０の貫通孔１０ｅ、トリガー補助部材８の溝８ｅ、トリガー補助部材８の溝８ｆ、ピン１７の孔、トリガー補助部材８の孔８ｇを連通するように配置されており、トリガー補助部材８と一体に固定されている。なお、トリガー軸６の太い方の先端にはローラー受け４が接合されており、ローラー受け４の上板部分４ａと下板部分４ｂの間にはローラー５が回転可能に配置されている。
さらに、トリガー補助部材８の突起８ｃと長孔４８が係合し、ピン１７の突出部と長孔４７が係合している状態でトリガー７はケース２に配置されている。即ち、トリガー７は正面板５１に対して垂直方向に摺動可能な状態で配置されている。
【００５１】
バネ９はトリガー補助部材８の切り欠き８ａにあり、トリガー補助部材８とリンク部材１０の間に挟まれるように配置されている。そして、バネ９はトリガー補助部材８の孔８ｄが設けてある面とリンク部材１０の壁１０ｆに当接しており、トリガー補助部材８をトリガー７の突出方向に付勢し、リンク部材１０をトリガー７の退入方向に付勢している。
【００５２】
リンク部材１０は正面板５１の近傍にあり、トリガー補助部材８とバネ９に接触している。そして、壁１０ｆがバネ９よりも開口４９から遠い位置に配置されており、係合部１０ｄと壁１０ｆはトリガー補助部材８の切り欠き８ａに嵌合している。
さらに、貫通孔１０ａにはピン１９が挿通されており、ピン１９の突出部は長孔４６と係合している。そして、突起１０ｃが長孔４５の短手方向と沿うように係合している。
つまり、リンク部材１０はトリガー補助部材８とバネ９に接触し、トリガー補助部材８やバネ９と連動可能であり、正面板５１に対して垂直方向に摺動可能な状態で配置されている。
【００５３】
てこ部材１１は、リンク部材１０と鎌片３の間に配置され、リンク部材１０と鎌片３を繋いでいる。詳しく説明すると、てこ部材１１の両端部はそれぞれリンク部材１０と鎌片３を挟むように配置しており、連通孔１１ｃとリンク部材１０の貫通孔１０ｂの位置を合わせてピン１９を挿通しており、連通孔１１ａと鎌片３の貫通孔３ｄの位置を合わせてピン２３を挿通している。また、てこ部材１１は連通孔１１ｂに、ネジ穴６１を設けている円柱状の部材を挿通している。結果、リンク部材１０と鎌片３は、それぞれてこ部材１１の端部を伴って移動可能であり、てこ部材１１は連通孔１１ｂに挿通している円柱状の部材を支点として回転可能である。つまり、リンク部材１０と鎌片３は、てこ部材１１を介して連動可能に繋がっている。
さらに、てこ部材１１の貫通孔１１ｄと、姿勢補助部材１２の一端の孔の位置を揃えて、ピン２２を挿通している。
【００５４】
姿勢補助部材１２は、てこ部材１１とスライダー１３の間に設けられている。前述したように、一端がてこ部材１１とピン２２で繋がっており、ピン２２を支点に揺動可能である。そして、他端はスライダー１３の横棒部分１３ａの溝に挟まれるように配置されており、貫通孔１３ｅと姿勢補助部材１２の端部の孔の位置を揃えてピン２０を挿通している。したがって、姿勢補助部材１２はピン２０を支点に揺動可能である。つまり、姿勢補助部材１２は、両端の孔に挿通したピン２０とピン２２をどちらも揺動支点とすることが可能な状態で配置されている。
【００５５】
スライダー１３は、ケース本体２の後端側（正面板５１に対して反対側）に設けられている。そして、横棒部分１３ａの一端は前述のように姿勢補助部材１２とピン２０で繋がっている。また、貫通孔１３ｄにはピン２１が挿通されている。さらに、ピン２１の突出部が長孔４４に、ピン２０の突出部が長孔４３に、縦棒部分１３ｂの突起１３ｃが長孔４５にそれぞれ係合している。そのため、スライダー１３は正面板５１に対して垂直方向に摺動可能な状態でケース２に配置されている。
【００５６】
ロック部５３は、前記したリンク部材１０の対角位置に設けられており、ロックカム１４の回転に伴って、ロック用連動部材１５とロック用係止部材１６がそれぞれ正面板５１と垂直方向に摺動するように配置されている。
具体的に説明すると、ロックカム１４はケース２に回転可能に配置されている。さらに、ロック用連動部材１５の突出部１５ａはロックカム１４の貫通孔１４ａに挿通されており、突出部１５ｃはロック用係止部材１６の貫通孔１６ｃに挿通されている。つまり、ロック用連動部材１５は突出部１５ａ、１５ｃを軸にロックカム１４やロック用係止部材１６と互いに揺動可能に繋がっている。加えて、ロック用連動部材１５の貫通孔１５ｂはピン２６が挿通されており、ロック用係止部材１６の貫通孔１６ａはピン２５を挿通されている。そして、ピン２５の突出部は長孔４１と係合し、ピン２６の突出部が長孔４０に係合している。
【００５７】
次に本発明の鎌錠１の機能について説明する。以下、鎌錠１を開き戸（ウイング戸）に用いた場合と、引き戸に用いた場合についてそれぞれ戸の開閉手順を追って説明し、さらに、本発明の鎌錠１を鍵でロックする場合について説明する。
【００５８】
まず、開き戸を閉じる時の鎌錠１の動作を説明する。図１３に示されるように、鎌錠１を扉５５に取り付け、ストライクを壁５６に取り付けて使用する。そして、このように、開き戸に用いる場合には周知のプッシュプルハンドル５７を取り付けるものとする。なお、図１４に示されるように、プッシュプルハンドル５７はそれぞれリンク部材１０、スライダー１３に係合しており、レバーを操作するとリンク部材１０又はスライダー１３をもう一方の部材から離れる方向に移動させるものとする。鎌錠１を取り付けた開き戸が開いている状態の様子は、図１の通りであり、ケース２からトリガー７が突出し、鎌片３はケース本体５２の中に沈んでいる。
【００５９】
この時、ケース本体５２の内部では、トリガー７はバネ９に突出方向に付勢されており、トリガー補助部材８、リンク部材１０は移動範囲内において、最も正面板５１よりの位置にある。そして、リンク部材１０はトリガー補助部材８の切り欠き８ａの最も正面板５１から遠い位置と接触している。また、スライダー１３は移動範囲内で最も正面板５１から遠い位置にある。
【００６０】
この状態から、開き戸を閉じると、突出しているトリガー７の先端部分がストライク５４の斜面５４ｂに当接する。さらに開き戸を閉じ方向へ移動させると、開き戸の移動力によって、トリガー７に斜面５４ｂからトリガー７の退入方向と斜面に沿う方向に力が加わる。ここで、トリガー７の先端のローラー５が回転することで斜面に沿う方向に加わる力がトリガー７の移動を阻害しない。つまり、トリガー７は斜面５４ｂに引っ掛かることなく退入方向に移動していく。
そして、図２で示すようにトリガー補助部材８の孔８ｄが設けられている壁がリンク部材１０に当接するまで、トリガー７はケース２に退入する方向に移動する。即ち、図１で示す状態から図２で示す状態までトリガー７が単独でケース２に退入する方向へ移動する。
このトリガー７が単独で移動可能である範囲が所謂「遊び」になっている。この範囲において、トリガー７の動きが鎌片３に連動しないので、扉が適切な位置に移動するまで鎌片３の突出を遅らせることができる。つまり、この「遊び」を調節することで、ストライク５４の取り付け位置や傾斜５４ｂの角度等の設計に幅を持たせることができ、鎌錠１を開き戸に使用することを容易にする。
【００６１】
また、常にバネ９がトリガー７を突出方向に付勢しているため、トリガー７は、単独で移動可能な範囲において、摺動可能な範囲内で最も突出した位置、もしくは傾斜５４ｂと当接する位置まで突出する。
そのため、開き戸を閉じる際のトリガー７が傾斜５４ｂと当接する前や、開き戸を開く際のトリガー７がストライク５４と離れた後などに、何らかの障害物に接触した際、それによりトリガー７が鎌錠１に退入するという誤動作を防ぐ効果がある。さらに、開き戸を開く際、トリガー７は必ず最も突出した状態で斜面５４ｂに接触するので、バネ９はトリガー７が斜面５４ｂに当接した時に生じる衝撃を和らげる。
またさらに、トリガー７のローラー５が斜面５４ｂ上を回転しながら移動する際に、ローラー５が斜面５４ｂから離れないので、トリガー７の退入をスムーズに行うことができる。
【００６２】
また、図２の状態からさらに扉を閉じる方向に移動すると、トリガー補助部材８がリンク部材１０を押圧し、トリガー７と共にリンク部材１０がトリガー７の退入方向に移動する。そして、トリガー７が移動範囲内で最も正面板５１から離れる方向に移動してトリガー７の退入が止まると、バネ９がリンク部材１０を退入方向に付勢する。それにより、図３で示されるように、リンク部材１０は長孔４５の中央近傍まで移動する。
【００６３】
この時、てこ部材１１はリンク部材１０とピン１８で繋がっているため、リンク部材１０の移動に伴って、てこ部材１１の連通孔１１ｃ側の端部がトリガー７の退入方向に移動する。すると、てこ部材１１がネジ穴３１を設けている円柱を軸に反時計回りに回転する。このことにより、てこ部材１１の連通孔１１ａ側の端部が、ピン２３を介して鎌片３をトリガー７の突出方向に付勢し、鎌片３はピン２４を軸に時計回りに回転を始める。
なお、ピン２３が係合している貫通孔３ｄは「く」の字状に伸びており、ピン２４が係合している長孔４２は円弧状に伸びている。したがって、てこ部材１１の端部は貫通孔３ｄに沿って動くことが可能であり、鎌片３は回動しながら、ロックカム１４を設置している方向に動くことが可能である。このことにより、鎌片３とてこ部材１１は互いの動きを阻害しない。
【００６４】
さらにこの時、てこ部材１１の移動と共に姿勢補助部材１２が正面板５１側に引っ張られる。これにより、姿勢補助部材１２とピン２０により繋がっているスライダー１３も同じ方向に引っ張られる。その結果、スライダー１３は正面板５１側に平行に移動する。そして、図３で示されるように、スライダー１３は長孔４５の中央近傍まで移動する。
【００６５】
そして、リンク部材１０が移動範囲内で最も正面板５１から離れた位置まで移動すると、リンク部材１０は移動を止める。それにより、鎌片３の回動も止まる。その結果、図３に示される様に、鎌片３がケース２から突出する。
図３で示される状態において、姿勢補助部材１２とスライダー１３がてこ部材１１の姿勢を支えており、てこ部材１１が鎌片３を突出する方向に付勢する。したがって、外力が加わらない限り鎌片３の姿勢は保持される。
この時、鎌片３がストライク５４の開口５４ａ、係合孔５４ｃと係合することによって、鎌錠１は施錠状態となり、扉が閉じる。
【００６６】
次に、開き戸を開く時の鎌錠１の動作を説明する。開き戸が閉じている状態の鎌錠１は、前述した様に、図３で示される通りである。
【００６７】
図３の状態からプッシュプルハンドル５７を操作して、リンク部材１０又はスライダー１３をもう一方の部材から離れる方向へ移動させる。ここで、リンク部材１０とスライダー１３のどちらを移動させても、二つの部材はてこ部材１１、姿勢補助部材１２で繋がっているため、互いに離れる方向へ移動する。
【００６８】
たとえば、リンク部材１０をスライダー１３から離れる方向へ移動させた場合、リンク部材１０の移動に伴って、ピン１８と共に、てこ部材１１の端部が正面板５１に近づく方向に移動する。すると、てこ部材１１がネジ孔６１が設けてある円柱を支点に時計回りに回転する。そのとき、姿勢補助部材１２はてこ部材１１とピン２２で繋がっているので、姿勢補助部材１２はてこ部材１１の回転により正面板５１から離れる方向へ押される。そして、姿勢補助部材１２とスライダー１３はピン２０で繋がっているので、スライダー１３も正面板５１から離れる方向へ押される。結果、スライダー１３が正面板５１から離れる方向へ移動するので、リンク部材１０とスライダー１３は互いに離れる方向へ移動する。
【００６９】
また逆に、スライダー１３をリンク部材１０から離れる方向へ移動させた場合、スライダー１３の移動に伴って、姿勢補助部材１２が正面板５１から離れる方向に移動する。この時、姿勢補助部材１２はてこ部材１１とピン２２で繋がっているので、てこ部材１１のピン２２を設けてある部分が正面板５１から離れる方向に引っ張られる。すると、てこ部材１１がネジ孔６１が設けてある円柱を支点に時計回りに回転する。そのことにより、てこ部材１１の連通孔１１ｃ側の端部が、ピン１８と共に正面板５１に近づく方向に移動する。それに伴い、ピン１８に押されたリンク部材１０が正面板５１に近づく方向に移動する。つまり、リンク部材１０は、スライダー１３と逆の方向へ移動するので、互いに離れる方向へ移動する。
【００７０】
したがって、プッシュプルハンドル５７の操作によりリンク部材１０とスライダー１３のどちらを移動させても、リンク部材１０は正面板５１に近づく方向に移動し、スライダー１３は正面板５１から離れた方向に移動する。
【００７１】
リンク部材１０とスライダー１３が前述の様に移動し、てこ部材１１が時計回りに回転することで、てこ部材１１がピン２３を介して鎌片３に正面板５１から離れる方向に力を加える。そして、鎌片３はてこ部材１１から受けた力と鎌片３自身の重力により、ピン２４を軸に反時計回りに回動し、ネジ３３に対応するネジ孔を持つ円柱状の部材に当接して鎌片３の回動が止まる。その結果、鎌片３がケース２の内部に退入することで扉の施錠状態が解除される。
【００７２】
このとき、リンク部材１０が正面板５１に近づく方向への移動に伴って、バネ９が圧縮される。すなわち、リンク部材１０はバネ９を圧縮させながら正面板５１に近づく方向へ移動する。そして、リンク部材１０がトリガー７のトリガー補助部材８に当接する。
さらにリンク部材１０を移動させると、リンク部材１０とトリガー７が一体となってトリガー７の突出方向に移動し、リンク部材１０が移動範囲内で最も正面板５１よりの位置に至ると、バネ９がトリガー補助部材８を押圧する。そのことにより、ケース２からトリガー７が突出する。
【００７３】
つまり、扉の施錠状態が解除されると同時に扉を開き方向に移動させて扉を開く。このとき、トリガー７は施錠状態の解除と共に突出するが、トリガー７には単独で移動可能である範囲が設けられているので、トリガー７の突出が鎌片３の退入を阻害しない。
【００７４】
次に、本発明の鎌錠１を引き戸に用いる場合について説明する。本発明の鎌錠１は従来の鎌錠と同様に引き戸に設置して使用することができる。その時、鎌錠１は通常は引き戸側に取り付けられ、戸枠側に従来と同様のストライクを取り付けて使用するものである。
まず、引き戸を閉じる時の鎌錠１の動作について説明する。引き戸が開いている状態の鎌錠１の様子は、図１の通りであり、ケース２からトリガー７が突出しており、鎌片３はケース２の中に沈んでいる。
【００７５】
また、この時のケース本体５２の内部では、トリガー７はバネ９に突出方向に付勢されており、トリガー補助部材８、リンク部材１０は移動範囲内において、最も正面板５１よりの位置にある。そして、リンク部材１０はトリガー補助部材８の切り欠き８ａの最も正面板５１から遠い位置と接触している。
【００７６】
この状態から、引き戸を閉じると、戸枠にトリガー７が当接し、引き戸の移動力によって図２に示すように、トリガー７がバネ９を圧縮させつつケース２の内部に退入し、最終的に図３で示した位置まで移動する。そして、鎌片３が突出してストライクと係合することにより扉が閉まる。トリガー７に連動する各部材の動きは第一の実施形態と同様であるので、ここでは説明を省略する。
また、前述のように、トリガー７は単独で移動可能である範囲が設けてあり、バネ９で突出方向に付勢されていることから、勢い良く引き戸を閉じてトリガー７が強く戸枠に衝突しても、バネ９が圧縮してトリガー７が受ける衝撃を和らげ、トリガー７の破損を防ぐ。したがって鎌錠１を引き戸に用いると従来のものより丈夫な引き戸錠を提供することができる。
【００７７】
次に、引き戸を開く時の鎌錠１の動作を説明する。なお、引き戸が閉じている時の鎌錠１は図３に示す通りである。即ち、ケース２にトリガー７が退入しており、鎌片３はケース２から突出している。
この状態から引き戸を引くと、鎌片３がストライクから反時計方向の力を受け、鎌片３が反時計方向に回動を開始する。
【００７８】
鎌片３の回動に伴って、ピン２３が鎌片３の貫通孔３ｄを移動しながら正面板５１から離れる方向に移動する。ここで、てこ部材１１の連通孔１１ａ側の端部がピン２３の移動に伴って正面板５１から離れる方向へ移動し、ネジ３１のネジ穴を設けている円柱を軸に、てこ部材１１が時計回りに回転する。それに伴って、てこ部材１１がピン１８を介してリンク部材１０を押し、てこ部材１１の端部１１ｃ側の端部とリンク部材１０が共に正面板５１に近づく方向へ移動する。また、てこ部材１１が回転することにより、姿勢補助部材１２は正面板５１から離れる方向へ押される。このとき、スライダー１３は、姿勢補助部材１２に押されて図１で示されるケース本体２の後端側に移動する。
【００７９】
このとき、リンク部材１０が正面板５１に近づく方向へ移動することで、バネ９が圧縮される。言い換えると、リンク部材１０はバネ９を圧縮させながら正面板５１に近づく方向へ移動する。そして、リンク部材１０がトリガー７のトリガー補助部材８に当接する。
さらにリンク部材１０を移動させると、リンク部材１０とトリガー７が一体となってトリガー７の突出方向に移動する。リンク部材１０が移動範囲内で最も正面板５１よりの位置に至るとリンク部材１０の移動が止まり、バネ９がトリガー補助部材８を押圧する。そのことにより、ケース２からトリガー７が突出する。
【００８０】
次に、本発明の鎌錠１を鍵でロックする場合について説明する。本発明の鎌錠１を実施する際に鍵でロックしない場合は、図１乃至図３に示したようにロック用係止部材１６を鎌片３に干渉させない状態で使用する。
一方、鍵でロックする場合は、図６に示されるように、鎌錠１の鎌片３がケース２から突出した状態において、ロック用係止部材１６を鎌片３に当接させて鎌片３の回動を阻止する。なお、鍵でロックした場合は再び鍵でロックを解除するまで施錠が解除されることはない。
【００８１】
具体的に説明すると、鎌錠１が施錠状態の時に、ロックカム１４を貫通孔１４ａ側の端部が鎌片３に近づくように回動させる。このとき回動させる範囲は端部に設けられている節度部材１４ｂで限定する。するとロックカム１４と繋がっているロック用連動部材１５が正面板５１に近づく方向に移動する。その時、ロック用係止部材１６はロック用連動部材１５と繋がっているため、ロック用係止部材１６もロック用連動部材１５と同じ方向に移動する。ここでロック用係止部材１６の一端部はピン２５が長孔４１と係合しているため、鎌片３に近づく方向に移動し、図６で示すように、鎌片３の回動軌道上で止まる。この状態の鎌錠１は、ロック用係止部材１６が鎌片３の回動を阻止するので施錠状態が解除されない。
本施錠状態を解除するには、ロックカム１４を貫通孔１４ａ側の端部が鎌片３から遠ざかるように回動させる。すなわち、本施錠状態に切り替える手順と逆の手順を行うことで、ロック用係止部材１６の端部を鎌片３の回動軌道上から取り除き、鎌片３を回動可能にする。
したがって、本発明の鎌錠１を鍵でロックした状態にすると、再び鍵でロックを解除しない限り鎌片３が回動しないため、鎌錠１の施錠状態は解除されない。
【００８２】
以上説明した実施形態において、鎌錠１を開き戸に用いた際に、正面から見て右側の扉５５に取り付け、ストライク５４を左側の壁５６に取り付けて使用した。しかしながら、本発明の鎌錠１を使用する開き戸はこれに限定されるものではない。たとえば、左側に扉を設けて、右側に壁を設けた開き戸に使用してもよいし、二枚の開き戸より構成される観音開きのような扉に用いてもよい。
さらに、図３において、鎌片３を突出時に係止部分３ｂが上向きになるように配置したが、突出時に係止部分３ｂが下向きになるように配置してもよい。すなわち、鎌錠１を上下逆に配置してもよい。
【符号の説明】
【００８３】
１  鎌錠
２  ケース
３  鎌片
４  ローラー受け
５  ローラー（回転部材）
６  トリガー軸
７  トリガー
８  トリガー補助部材
９  バネ（衝撃吸収部材、付勢部材）
１０  リンク部材
１１  てこ部材
１２  姿勢補助部材
１３  スライダー
１４  ロックカム
１５  ロック用連動部材
１６  ロック用係止部材
３４  蓋
５１  正面板
５２  ケース本体
５３  ロック部
５４  ストライク
【図１】
2010248750.tif 000003
【図２】
2010248750.tif 000004
【図３】
2010248750.tif 000005
【図４】
2010248750.tif 000006
【図５】
2010248750.tif 000007
【図６】
2010248750.tif 000008
【図７】
2010248750.tif 000009
【図８】
2010248750.tif 000010
【図９】
2010248750.tif 000011
【図１０】
2010248750.tif 000012
【図１１】
2010248750.tif 000013
【図１２】
2010248750.tif 000014
【図１３】
2010248750.tif 000015
【図１４】
2010248750.tif 000016
【図１５】
2010248750.tif 000017
【図１６】
2010248750.tif 000018